(57)【特許請求の範囲】
【請求項１】
画面に画像を表示する表示手段と、
入力画像データに基づいて、前記入力画像データに基づく画像が前記画面に表示される際に前記画面から発せられる所定の色の光の光量を算出する算出手段と、
前記算出手段で算出された光量を前記入力画像データに基づく前記画像の表示期間に累積することで、現在までに前記画面から発せられた前記所定の色の光の総光量を算出する累積手段と、
前記累積手段で算出された総光量が第１の閾値光量に達した場合に第１の通知を行う通知手段と、
を有することを特徴とする画像表示装置。
【請求項２】
前記所定の色は青色である
ことを特徴とする請求項１に記載の画像表示装置。
【請求項３】
前記所定の色の光は、３８０ｎｍ以上且つ４９５ｎｍ以下の波長を有する光である
ことを特徴とする請求項１または２に記載の画像表示装置。
【請求項４】
所定の画像処理を前記入力画像データに施すことにより、処理画像データを生成する生成手段をさらに有し、
前記入力画像データに基づく前記画像は、前記処理画像データに応じた画像であり、
前記算出手段は、前記処理画像データに基づいて、前記光量を算出する
ことを特徴とする請求項１〜３のいずれか１項に記載の画像表示装置。
【請求項５】
前記算出手段は、
前記入力画像データ、
光の波長と人体に対する光の影響の度合いとの対応関係を表す障害関数、
前記画面のサイズ、及び、
前記所定の色を含む複数の色にそれぞれ対応する複数の分光データ、に基づいて、前記光量を算出し、
前記複数の分光データのそれぞれは、その分光データに対応する色の画像データが前記
画面に表示される際に前記画面から発せられる光の分光特性を表す
ことを特徴とする請求項１〜４のいずれか１項に記載の画像表示装置。
【請求項６】
前記表示手段は、設定されたパラメータを用いて前記画面の色と輝度の少なくとも一方を変更し、
前記算出手段は、前記入力画像データ、前記障害関数、前記画面のサイズ、前記複数の分光データ、前記パラメータの現在の設定値、及び、前記パラメータの基準値、に基づいて、前記光量を算出し、
前記複数の分光データのそれぞれは、その分光データに対応する色の画像データが前記パラメータの基準値を用いて前記画面に表示される際に前記画面から発せられる光の分光特性を表す
ことを特徴とする請求項５に記載の画像表示装置。
【請求項７】
前記表示手段は、設定されたパラメータを用いて前記画面の色と輝度の少なくとも一方を変更し、
前記複数の分光データのそれぞれは、その分光データに対応する色の画像データが前記パラメータの現在の設定値を用いて前記画面に表示される際に前記画面から発せられる光の分光特性を表す
ことを特徴とする請求項５に記載の画像表示装置。
【請求項８】
前記複数の色のそれぞれについて、その色の画像データが前記画面に表示される際に前記画面から発せられる光の現在の分光特性を表す分光データを取得する取得手段をさらに有し、
前記算出手段は、前記取得手段で取得された複数の分光データを用いて、前記光量を算出する
ことを特徴とする請求項５〜７のいずれか１項に記載の画像表示装置。
【請求項９】
前記第１の通知は、前記総光量が前記第１の閾値光量に達したことを少なくとも示す所定の情報を前記画面に表示する処理である
ことを特徴とする請求項１〜８のいずれか１項に記載の画像表示装置。
【請求項１０】
前記累積手段は、前記入力画像データに基づく前記画像の非表示期間に前記総光量の値を徐々に低減する
ことを特徴とする請求項１〜９のいずれか１項に記載の画像表示装置。
【請求項１１】
前記累積手段は、前記入力画像データに基づく前記画像の表示期間の終了時から閾値時間経過するまでに前記入力画像データに基づく前記画像の表示が行われなかった場合に、前記総光量の値を０にリセットする
ことを特徴とする請求項１〜１０のいずれか１項に記載の画像表示装置。
【請求項１２】
前記画像表示装置の現在のユーザを識別する識別手段をさらに有し、
前記累積手段は、前記画像表示装置の複数のユーザのそれぞれについて前記総光量を個別に算出し、
前記通知手段は、少なくとも１人のユーザの総光量が前記第１の閾値光量に達した場合に、前記第１の通知を行う
ことを特徴とする請求項１〜１１のいずれか１項に記載の画像表示装置。
【請求項１３】
前記第１の通知は、前記総光量が前記第１の閾値光量に達したユーザを少なくとも示す所定の情報を前記画面に表示する処理である
ことを特徴とする請求項１２に記載の画像表示装置。
【請求項１４】
前記累積手段で算出された総光量が前記第１の閾値光量に達した場合に、前記光量を低減する低減手段をさらに有する
ことを特徴とする請求項１〜１３のいずれか１項に記載の画像表示装置。
【請求項１５】
前記通知手段は、前記光量の低減が前記低減手段によって行われた場合に第２の通知を行う
ことを特徴とする請求項１４に記載の画像表示装置。
【請求項１６】
前記累積手段で算出された総光量が前記第１の閾値光量に達した場合に、前記光量を低減するか否かをユーザに選択させる選択手段をさらに有し、
前記低減手段は、前記光量を低減することがユーザによって選択された場合に、前記光量を低減する
ことを特徴とする請求項１４または１５に記載の画像表示装置。
【請求項１７】
前記通知手段は、前記算出手段で算出された光量が第２の閾値光量以上である場合に第２の通知を行う
ことを特徴とする請求項１〜１６のいずれか１項に記載の画像表示装置。
【請求項１８】
画面に画像を表示する表示ステップと、
入力画像データに基づいて、前記入力画像データに基づく画像が前記画面に表示される際に前記画面から発せられる所定の色の光の光量を算出する算出ステップと、
前記算出ステップで算出された光量を前記入力画像データに基づく前記画像の表示期間に累積することで、現在までに前記画面から発せられた前記所定の色の光の総光量を算出する累積ステップと、
前記累積ステップで算出された総光量が第１の閾値光量に達した場合に第１の通知を行う通知ステップと、
を有することを特徴とする画像表示装置の制御方法。
【請求項１９】
請求項１８に記載の画像表示装置の制御方法の各ステップをコンピュータに実行させるためのプログラム。
【発明の詳細な説明】
【技術分野】
【０００１】
本発明は、画像表示装置及びその制御方法に関する。
【背景技術】
【０００２】
液晶表示装置は、液晶パネル、液晶パネルの背面側に配置されたバックライト、それらの動作を制御する制御回路、等を有する。近年では、広色域再現、省電力、等の観点から、バックライトの発光素子として、白色ＬＥＤ（白色光を発するＬＥＤ（発光ダイオード））、３原色ＬＥＤ、等を有する液晶表示装置が普及している。３原色ＬＥＤは、赤色ＬＥＤ、緑色ＬＥＤ、及び、青色ＬＥＤを含む。
【０００３】
ここで、可視波長域の短波長側の光（例えば、青色光）を長時間見続けることで健康障害目が生じる可能性があると言われている。青色光に起因した健康障害として、目の疲れ、頭痛、生体リズムの変化、等がある。青色光は、例えば、３８０ｎｍ以上且つ４９５ｎｍ以下の波長を有する光である。ＪＩＳ規格では、光の波長と人体に対する光の影響の度合いとの対応関係を表す障害関数として、図１に示すような関数が定義されている。図１に示す障害関数は、青色光の波長に対応する度合い（影響度合い）が大きいため、「青色光障害関数」と呼ばれている。液晶表示装置などで用いられる白色ＬＥＤや青色ＬＥＤの分光特性は、４５０ｎｍの波長付近にピーク波長（分光放射輝度が最も大きい波長）を有する。即ち、白色ＬＥＤや青色ＬＥＤの分光特性のピーク波長は、障害関数のピーク波長（人体に対する光の影響の度合いが最も大きい波長）に近い。そのため、白色ＬＥＤや青色ＬＥＤから発せられた光が人体に及ぼす影響は特に大きいと言われている。
【０００４】
特許文献１には、ＶＤＴ（パソコンなどの視覚表示端末機）作業の累積時間が閾値に達した場合に警告を発する技術が開示されている。しかしながら、特許文献１に開示の技術では、ＶＤＴ作業の累積時間しか考慮されておらず、表示対象の画像に含まれている色は考慮されていない。そのため、画像表示装置のユーザが青色を多く含む表示画像（画面に表示された画像）を長時間見続けた場合に、ＶＤＴ作業の累積時間が閾値に達しておらず、警告が発せられないことがある。その結果、青色光などの所定の色の光に起因した健康障害を効果的に防止することができない。
【先行技術文献】
【特許文献】
【０００５】
【特許文献１】特開２００２−３６６１２９号公報
【発明の概要】
【発明が解決しようとする課題】
【０００６】
本発明は、所定の色の光に起因した健康障害を効果的に防止することができる技術を提供することを目的とする。
【課題を解決するための手段】
【０００７】
本発明の第１の態様は、
画面に画像を表示する表示手段と、
入力画像データに基づいて、前記入力画像データに基づく画像が前記画面に表示される際に前記画面から発せられる所定の色の光の光量を算出する算出手段と、
前記算出手段で算出された光量を前記入力画像データに基づく前記画像の表示期間に累積することで、現在までに前記画面から発せられた前記所定の色の光の総光量を算出する累積手段と、
前記累積手段で算出された総光量が第１の閾値光量に達した場合に第１の通知を行う通知手段と、
を有することを特徴とする画像表示装置である。
【０００８】
本発明の第２の態様は、
画面に画像を表示する表示ステップと、
入力画像データに基づいて、前記入力画像データに基づく画像が前記画面に表示される際に前記画面から発せられる所定の色の光の光量を算出する算出ステップと、
前記算出ステップで算出された光量を前記入力画像データに基づく前記画像の表示期間に累積することで、現在までに前記画面から発せられた前記所定の色の光の総光量を算出する累積ステップと、
前記累積ステップで算出された総光量が第１の閾値光量に達した場合に第１の通知を行う通知ステップと、
を有することを特徴とする画像表示装置の制御方法である。
【０００９】
本発明の第３の態様は、上述した画像表示装置の制御方法の各ステップをコンピュータに実行させるためのプログラムである。
【発明の効果】
【００１０】
本発明によれば、所定の色の光に起因した健康障害を効果的に防止することができる。
【図面の簡単な説明】
【００１１】
【図１】実施例１に係る青色光障害関数の一例を示す図
【図２】実施例１に係る画像表示装置の構成の一例を示すブロック図
【図３】実施例１に係る青色光量累積部の処理フローの一例を示すフロー図
【図４】実施例１に係る青色光量の時間変化の一例を示す図
【図５】実施例１に係る作業時間と総光量の時間変化の一例を示す図
【図６】実施例１に係る通知画像の一例を示す図
【図７】実施例２に係る画像表示装置の構成の一例を示すブロック図
【図８】実施例２に係る測光センサの設置位置の一例を示す図
【図９】実施例３に係る画像表示装置の構成の一例を示すブロック図
【図１０】実施例３に係る通知画像の一例を示す図
【図１１】実施例４に係る画像表示装置の構成の一例を示すブロック図
【図１２】実施例４に係るモード管理部の処理フローの一例を示すフロー図
【図１３】実施例４に係る通知画像の一例を示す図
【図１４】実施例４に係る通知画像および低減選択画像の一例を示す図
【発明を実施するための形態】
【００１２】
＜実施例１＞
以下、本発明の実施例１に係る画像表示装置及びその制御方法について説明する。本発明は、いかなる画像表示装置にも適用可能である。例えば、本発明は、液晶表示装置、有機ＥＬ表示装置、プラズマ表示装置、プロジェクター、等に適用できる。なお、本実施例では、画像データの画素値がＲＧＢ値（Ｒ値、Ｇ値、及び、Ｂ値の組み合わせ）である場合の例を説明するが、画素値はＲＧＢ値に限らない。例えば、画素値は、ＹＣｂＣｒ値（Ｙ値、Ｃｂ値、及び、Ｃｒ値の組み合わせ）であってもよい。
【００１３】
図２は、本実施例に係る画像表示装置１の構成の一例を示すブロック図である。
【００１４】
画像データ入力部１１は、画像表示装置１に入力された画像データ（入力画像データ）を取得し、取得した入力画像データを画像処理部１２に出力する。また、画像データ入力部１１は、画像表示装置１への入力画像データの入力を検出し、画像表示装置１に入力画像データが入力されているか否かを示す入力有無情報を作業時間累積部１５に出力する。入力画像データは、例えば、パーソナルコンピュータ、デジタルカメラ、各種レコーダ（ハードディスクレコーダ、ブルーレイレコーダ、等）、各種プレーヤ、ゲーム機、等から、画像表示装置１に入力される。なお、画像データ入力部１１は、記録媒体から入力画像データを読み出すことで、入力画像データを取得してもよい。記録媒体としては、磁気ディスク、光ディスク、半導体メモリ、等を用いることができる。
【００１５】
画像処理部１２は、画像データ入力部１１から出力された入力画像データに所定の画像処理を施すことにより、処理画像データを生成する。所定の画像処理は、例えば、設定された色温度、色域、輝度、ガンマ、等に応じて入力画像データの画素値を変換する画像処理である。所定の画像処理として、エッジ強調処理、ぼかし処理、等が行われてもよい。所定の画像処理では、例えば、入力画像データの画素値と処理画像データの画素値の対応関係を表す関数やＬＵＴ（ルックアップテーブル）を用いて、入力画像データの画素値が変換される。そして、画像処理部１２は、生成した処理画像データを画像合成部１３に出力する。
【００１６】
また、画像処理部１２は、生成した処理画像データを用いて、処理画像データのＲ値の平均値Ｒｎ、処理画像データのＧ値の平均値Ｇｎ、及び、処理画像データのＢ値の平均値Ｂｎを算出する。そして、画像処理部１２は、輝度ゲイン値Ｌと、算出した平均値Ｒｎ，Ｇｎ，Ｂｎとを、青色光量算出部１８に出力する。
【００１７】
なお、処理画像データの各画素のＲ値を代表する代表値として、平均値Ｒｎ以外の値が算出されてもよい。例えば、平均値Ｒｎの代わりに、処理画像データのＲ値の最大値、最小値、最頻値、中間値、等が算出されてもよい。Ｇ値とＢ値についても同様である。
【００１８】
画像合成部１３は、通知画像生成部１６から通知画像データが出力された場合に、通知画像データと、画像処理部１２から出力された処理画像データとを合成することにより、合成画像データを生成する。そして、画像合成部１３は、生成した合成画像データを表示部１４に出力する。合成画像データは、処理画像に通知画像が重ねられた画像を表す。処理画像は、処理画像データが表す画像であり、通知画像は、通知画像データが表す画像である。通知画像（データ）の詳細は後述する。また、画像合成部１３は、通知画像生成部１６から通知画像データが出力されなかった場合に、処理画像データを表示部１４に出力する。
【００１９】
表示部１４は、表示部１４に入力された画像データに応じた画像を画面に表示する。本実施例では、処理画像データまたは合成画像データに応じた画像が表示される。また、表示部１４は、設定されたパラメータを用いて画面（画面に表示された画像）の色と輝度の少なくとも一方を変更する。本実施例では、上記パラメータとして輝度ゲイン値が使用される例を説明する。輝度ゲイン値は、画面の輝度を変更するパラメータである。例えば、輝度ゲイン値が２倍に高められると画面の輝度も２倍に高められ、輝度ゲイン値が４倍に高められると画面の輝度も４倍に高められる。上述した輝度ゲイン値Ｌは、輝度ゲイン値の現在の設定値である。
【００２０】
なお、上記パラメータの設定方法は特に限定されない。例えば、パラメータは、ユーザ操作に応じて設定されてもよいし、画像表示装置１の使用環境などに応じて自動で設定されてもよい。
【００２１】
作業時間累積部１５は、ユーザ作業が行われた時間（作業時間）を計測する。ユーザ作業は、ユーザが画像表示装置１を用いて行うＶＤＴ作業である。本実施例では、作業時間累積部１５は、入力画像データに基づく画像である表示対象画像の表示時間を、作業時間として計測する。本実施例では、表示対象画像は、処理画像データに応じた画像である。
【００２２】
具体的には、作業時間累積部１５は、画像データ入力部１１から出力された入力有無情報に基づいて、入力画像データの入力の有無を判断する。作業時間累積部１５は、入力画像データの入力が開始（再開）されたタイミングを、ユーザ作業が開始（再開）されたタイミングとみなし、入力画像データの入力が終了（中断）されたタイミングを、ユーザ作業が終了（中断）されたタイミングとみなす。作業時間累積部１５は、入力画像データの
入力が開始されたタイミングで、作業時間の値を徐々に高める第１増加処理を開始する。作業時間が第１閾値に達すると、作業時間累積部１５は、作業時間に関する情報（作業時間情報）を、通知画像生成部１６に出力する。そして、作業時間累積部１５は、入力画像データの入力が終了されたタイミングで、第１増加処理を中断し、作業時間の値を徐々に低減する第１低減処理を開始する。作業時間累積部１５は、作業時間の値が０（ゼロ）になったタイミングで、第１低減処理を終了する。また、作業時間累積部１５は、第１低減処理の実行中に入力画像データの入力が開始された場合には、入力画像データの入力が開始されたタイミングで、第１低減処理を中断する。
【００２３】
また、作業時間累積部１５は、ユーザ作業が行われているか否かを示す作業有無情報を、青色光量累積部１９に出力する。作業有無情報は、入力有無情報と同じ情報であってもよいし、入力有無情報と異なる情報であってもよい。
【００２４】
なお、作業時間の単位は特に限定されない。作業時間の単位は、秒単位であってもよいし、分単位であってもよい。また、作業時間の値の増加や低減の頻度は、特に限定されない。例えば、１秒経過する度に作業時間が更新されてもよいし、１０秒経過する度に作業時間が更新されてもよいし、３０秒経過する度に作業時間が更新されてもよい。１分経過する度に作業時間が更新されてもよいし、５分経過する度に作業時間が更新されてもよい。また、第１低減処理による単位時間あたりの低減量は、特に限定されない。例えば、上記作業に起因した健康障害の回復に要する時間（休息時間）で第１閾値を除算した値を、単位時間あたりの低減量として使用することができる。
【００２５】
なお、第１低減処理は、上記処理に限らない。例えば、表示対象画像の表示期間の終了時から閾値時間経過するまでに表示対象画像の表示が行われなかった場合に、作業時間の値が０にリセットされてもよい。具体的には、作業時間累積部１５は、入力画像データの入力が終了されたタイミングで、第１増加処理を中断し、ユーザ作業が行われていない時間（非作業時間）の計測を開始してもよい。そして、非作業時間が第２閾値（上記閾値時間）に達したタイミングで、作業時間累積部１５は、作業時間の値を０にリセットしてもよい。
【００２６】
なお、上述した第１閾値と第２閾値は、メーカーによって予め定められた値であってもよいし、ユーザが変更可能な値であってもよいし、画像表示装置１の使用環境に応じて自動で設定される値であってもよい。
【００２７】
記憶部１７は、基準輝度ゲイン値Ｌｂ、青色光障害関数Ｂ（λ）、表示部サイズＡ［ｍ２］を記憶する。また、記憶部１７は、所定の色を含む複数の色にそれぞれ対応する複数の分光データを記憶する。本実施例では、所定の色は青色である。そして、本実施例では、記憶部１７は、複数の分光データとして、基準分光データＳＲ（λ），ＳＧ（λ），ＳＢ（λ），ＳＫ（λ）を記憶する。基準輝度ゲイン値Ｌｂは、輝度ゲイン値の基準値である。基準輝度ゲイン値Ｌｂは、どのような値であってもよい。青色光障害関数Ｂ（λ）は、光の波長と人体に対する光の影響の度合いとの対応関係を表す（図１）。表示部サイズＡは、画面のサイズである。基準分光データＳＲ（λ）は、赤色に対応する分光データであり、基準分光データＳＧ（λ）は、緑色に対応する分光データであり、基準分光データＳＢ（λ）は、青色に対応する分光データである。そして、基準分光データＳＫ（λ）は、黒色に対応する分光データである。分光データは、波長λと分光放射輝度［Ｗ・ｍ−２・ｓｒ−１・ｎｍ−１］の対応関係を表す。
【００２８】
複数の分光データのそれぞれは、その分光データに対応する色の画像データが画面に表示される際に画面から発せられる光の分光特性を表す。本実施例では、複数の分光データのそれぞれは、その分光データに対応する色の画像データが基準輝度ゲイン値Ｌｂを用い
て画面に表示される際に画面から発せられる光の分光特性を表す。
【００２９】
ここで、画像データの階調値（Ｒ値、Ｇ値、及び、Ｂ値）が８ビットの値（０〜２５５）であった場合を考える。基準分光データＳＲ（λ）は、画素値（Ｒ値，Ｇ値，Ｂ値）＝（２５５，０，０）の画像データが基準輝度ゲイン値Ｌｂを用いて画面に表示される際に画面から発せられる光の分光特性を表す。基準分光データＳＧ（λ）は、画素値（０，２５５，０）の画像データが基準輝度ゲイン値Ｌｂを用いて画面に表示される際に画面から発せられる光の分光特性を表す。基準分光データＳＢ（λ）は、画素値（０，０，２５５）の画像データが基準輝度ゲイン値Ｌｂを用いて画面に表示される際に画面から発せられる光の分光特性を表す。そして、基準分光データＳＫ（λ）は、画素値（０，０，０）の画像データが基準輝度ゲイン値Ｌｂを用いて画面に表示される際に画面から発せられる光の分光特性を表す。
【００３０】
なお、表示部１４の経年劣化などを考慮して、記憶部１７が記憶する各種データが更新されてもよい。例えば、表示部１４が、発光部と、発光部から発せられた光を変調することで画面に画像を表示する表示パネルと、を有する場合には、発光部や液晶パネルの経年劣化を考慮して、記憶部１７が記憶する各種データが更新されてもよい。赤色、青色、緑色、及び、黒色の少なくともいずれかの色について、分光データが使用されなくてもよい。赤色、青色、緑色、及び、黒色以外の色に対応する分光データが使用されてもよい。
【００３１】
青色光量算出部１８は、入力画像データ（処理画像データ）に基づいて、表示対象画像が画面に表示される際に画面から発せられる青色光（青色の光；所定の色の光）の光量Ｍ［Ｗ・ｓｒ−１］を算出する。以後、光量Ｍを「青色光量Ｍ」と記載する。本実施例では、青色光量算出部１８は、処理画像データ（平均値Ｒｎ，Ｇｎ，Ｂｎ）、輝度ゲイン値Ｌ、基準輝度ゲイン値Ｌｂ、青色光障害関数Ｂ（λ）、表示部サイズＡ、及び、基準分光データＳＲ（λ），ＳＧ（λ），ＳＢ（λ），ＳＫ（λ）に基づいて、青色光量Ｍを算出する。そして、青色光量算出部１８は、算出した青色光量Ｍを青色光量累積部１９に出力する。青色光量Ｍの算出方法の詳細は後述する。青色光は、例えば、３８０ｎｍ以上且つ４９５ｎｍ以下の波長を有する光である。なお、青色光の波長域は、３８０ｎｍ〜４９５ｎｍの波長域に限らない。例えば、青色光の波長域は、３８０ｎｍ〜４９５ｎｍの波長域より狭くても広くてもよい。
【００３２】
青色光量累積部１９は、青色光量算出部１８で算出された青色光量Ｍを表示対象画像の表示期間に累積することで、現在までに画面から発せられた青色光の総光量ＭＴを算出する。本実施例では、表示対象画像の表示期間が、ユーザ作業が行われている期間として扱われる。そのため、「表示対象画像の表示期間に青色光量Ｍを累積する」という文言は、「ユーザ作業が行われている期間に青色光量Ｍを累積する」という文言に置き換えることができる。
【００３３】
具体的には、青色光量累積部１９は、作業時間累積部１５から出力された作業有無情報に基づいて、ユーザ作業が行われているか否かを判断する。青色光量累積部１９は、ユーザ作業が開始（再開）されたタイミングで、総光量ＭＴの値を徐々に高める第２増加処理を開始する。総光量ＭＴが第３閾値（第１の閾値光量）に達すると、青色光量累積部１９は、総光量ＭＴに関する情報（総光量情報）を、通知画像生成部１６に出力する。そして、青色光量累積部１９は、ユーザ作業が終了（中断）されたタイミングで、第２増加処理を中断し、総光量ＭＴの値を徐々に低減する第２低減処理を開始する。青色光量累積部１９は、総光量ＭＴの値が０になったタイミングで、第２低減処理を終了する。また、青色光量累積部１９は、第２低減処理の実行中にユーザ作業が開始された場合には、ユーザ作業が開始されたタイミングで、第２低減処理を中断する。そのため、本実施例では、表示対象画像の非表示期間に総光量ＭＴの値が徐々に低減される。
【００３４】
なお、総光量ＭＴの値の増加や低減の頻度は、特に限定されない。例えば、１秒経過する度に総光量ＭＴが更新されてもよいし、１０秒経過する度に総光量ＭＴが更新されてもよいし、３０秒経過する度に総光量ＭＴが更新されてもよい。１分経過する度に総光量ＭＴが更新されてもよいし、５分経過する度に総光量ＭＴが更新されてもよい。また、第２低減処理による単位時間あたりの低減量は、特に限定されない。例えば、青色光に起因した健康障害の回復に要する時間（休息時間）で第３閾値を除算した値を、単位時間あたりの低減量として使用することができる。
【００３５】
なお、第２低減処理は、上記処理に限らない。例えば、表示対象画像の表示期間の終了時から閾値時間経過するまでに表示対象画像の表示が行われなかった場合に、総光量ＭＴの値が０にリセットされてもよい。具体的には、青色光量累積部１９は、ユーザ作業が終了されたタイミングで、第２増加処理を中断し、非作業時間の計測を開始してもよい。そして、非作業時間が第４閾値（上記閾値時間）に達したタイミングで、青色光量累積部１９は、総光量ＭＴの値を０にリセットしてもよい。
【００３６】
なお、上述した第３閾値と第４閾値は、メーカーによって予め定められた値であってもよいし、ユーザが変更可能な値であってもよいし、画像表示装置１の使用環境に応じて自動で設定される値であってもよい。
【００３７】
通知画像生成部１６は、作業時間累積部１５から作業時間情報が出力された場合、及び、青色光量累積部１９から総光量情報が出力された場合に、所定の通知のための処理を行う。本実施例では、通知画像生成部１６は、作業時間累積部１５から作業時間情報が出力された場合、及び、青色光量累積部１９から総光量情報が出力された場合に、通知画像データを生成し、生成した通知画像データを画像合成部１３に出力する。通知画像データが表す通知画像は、ユーザ作業の中断を促す画像である。具体的には、作業時間累積部１５から作業時間情報が出力された場合に、通知画像生成部１６は、青色光量累積部１９から現在の総光量ＭＴを示す情報を取得する。また、青色光量累積部１９から総光量情報が出力された場合に、通知画像生成部１６は、作業時間累積部１５から現在の作業時間を示す情報を取得する。そして、通知画像生成部１６は、取得した情報に基づいて、現在の作業時間、現在の総光量ＭＴ、及び、ユーザ作業の中断を促すメッセージを表す通知画像データを生成して出力する。その後、画像合成部１３と表示部１４の処理が行われることにより、現在の作業時間、現在の総光量ＭＴ、及び、ユーザ作業の中断を促すメッセージがユーザに通知される。
【００３８】
なお、ユーザ作業の中断を促すことができれば、ユーザに通知する情報、及び、通知の方法は、特に限定されない。例えば、作業時間累積部１５から作業時間情報が出力された場合に、作業時間が第１閾値に達したことを少なくとも示す所定の情報（メッセージ、グラフィック画像（マークや記号）、等）が画面に表示されてもよい。青色光量累積部１９から総光量情報が出力された場合に、総光量ＭＴが第３閾値に達したことを少なくとも示す所定の情報が画面に表示されてもよい。画像表示でなく、音声や光（例えば、画面以外のランプから発せられた光）を用いて通知が行われてもよい。
【００３９】
次に、本実施例に係る青色光量Ｍ［Ｗ・ｓｒ−１］の算出方法について説明する。
【００４０】
まず、青色光量算出部１８は、以下の式１を用いて、分光データＳ（λ）［Ｗ・ｍ−２・ｓｒ−１・ｎｍ−１］を算出する。分光データＳ（λ）は、表示対象画像が画面に表示される際に画面から発せられる光の分光特性を表す。
【数１】
0006661425.tif 000002
【００４１】
次に、青色光量算出部１８は、以下の式２を用いて、青色光量Ｍ（Ｗ・ｓｒ−１）を算出する。式２において、Δλは、波長幅［ｎｍ］である。
【数２】
0006661425.tif 000003
【００４２】
次に、図３を用いて、青色光量累積部１９の処理フローの一例を説明する。図３は、青色光量累積部１９の処理フローの一例を示すフローチャートである。青色光量累積部１９は、例えば、画像表示装置１が起動したタイミングで図３のフローチャートを開始する。なお、図３のフローチャートを開始するタイミングは特に限定されない。例えば、画像表示装置１の動作モードとして所定の動作モードが設定されたタイミングで、図３のフローチャートが開始されてもよい。青色光量累積部１９は、図３のフローチャートの実行中において、作業有無情報を常に（または定期的に）監視する。
【００４３】
まず、青色光量累積部１９が、作業時間累積部１５からの作業有無情報に基づいて、ユーザ作業が行われているか否かを判断する（Ｓ１０１）。ユーザ作業が行われていると判断された場合には、Ｓ１０２へ処理が進められ、ユーザ作業が行われていないと判断された場合には、Ｓ１０１へ処理が戻される。
【００４４】
Ｓ１０２では、青色光量累積部１９が、青色光量算出部１８から出力された青色光量Ｍを総光量ＭＴに加算する。総光量ＭＴの初期値は０である。そのため、最初のユーザ作業の開始時には、青色光量Ｍと同じ値が総光量ＭＴとして設定される。次に、青色光量累積部１９が、作業時間累積部１５からの作業有無情報に基づいて、ユーザ作業が行われているか否かを判断する（Ｓ１０３）。ユーザ作業が行われていると判断された場合には、Ｓ１０４へ処理が進められ、ユーザ作業が行われていないと判断された場合には、Ｓ１０６へ処理が進められる。
【００４５】
Ｓ１０４では、青色光量累積部１９が、総光量ＭＴが閾値（第３閾値）に達したか否かを判断する。総光量ＭＴが閾値に達したと判断された場合には、Ｓ１０５へ処理が進められ、総光量ＭＴが閾値に達していないと判断された場合には、Ｓ１０２へ処理が戻される。Ｓ１０５では、青色光量累積部１９が、総光量ＭＴを通知画像生成部１６に出力する。その後、Ｓ１０１に処理が戻される。
【００４６】
Ｓ１０６では、青色光量累積部１９が、総光量ＭＴの値を低減する。次に、青色光量累積部１９が、作業時間累積部１５からの作業有無情報に基づいて、ユーザ作業が行われているか否かを判断する（Ｓ１０７）。ユーザ作業が行われていないと判断された場合には、Ｓ１０８へ処理が進められ、ユーザ作業が行われていると判断された場合には、Ｓ１０２へ処理が進められる。Ｓ１０８では、青色光量累積部１９が、総光量ＭＴが０まで低減されたか否かを判断する。総光量ＭＴが０まで低減されたと判断された場合には、Ｓ１０１に処理が戻され、総光量ＭＴが０まで低減されていないと判断された場合には、Ｓ１０６に処理が戻される。
【００４７】
図４は、青色光量Ｍの時間変化の一例を示し、図５は、第１閾値に対する作業時間の値
の相対値と、第３閾値に対する総光量の値の相対値と、の時間変化の一例を示す。図４，５は、ユーザ作業が行われている期間における時間変化を示す。即ち、図４，５は、表示対象画像の表示期間における時間変化を示す。
【００４８】
図５に示すように、作業時間の値は、時間の経過に応じて線形に増加する。入力画像データが静止画の画像データである場合、青色光量Ｍの値は時間変化しない。そのため、入力画像データが静止画の画像データである場合、総光量ＭＴの値は、作業時間の値と同様に、時間の経過に応じて線形に増加する。一方、入力画像データが動画の画像データである場合、Ｎフレーム毎に、青色光量Ｍの値が算出される（Ｎは１以上の整数）。例えば、平均値Ｒｎとして、Ｎフレーム内の所定のフレームの画像データのＲ値の平均値を用いたり、Ｎフレームの画像データのＲ値の平均値を用いたりされる。平均値Ｇｎ，Ｂｎについても同様である。所定のフレームは、例えば、Ｎフレーム内の最初のフレームである。そして、このような平均値Ｒｎ，Ｇｎ，Ｂｎを用いて、Ｎフレームの期間における青色光量Ｍが算出される。そのため、入力画像データが動画の画像データである場合には、図４に示すように、青色光量Ｍは、時間の経過に対して不規則に変化（増減）する。その結果、入力画像データが動画の画像データである場合には、図５に示すように、総光量ＭＴは、時間の経過に対して不規則に増加する。
【００４９】
図５の例では、総光量ＭＴが第３閾値に達するタイミングが、作業時間が第１閾値に達するタイミングよりも早い。これは、青色光を多く発する画像をユーザが視聴し続けたためである。本実施例では、このような場合に、総光量ＭＴが第３閾値に達したことに応じた所定の通知（第１の通知）が行われる。その結果、青色光に起因した健康障害を効果的に防止することができる。
【００５０】
図６は、総光量ＭＴが第３閾値に達するタイミングが、作業時間が第１閾値に達するタイミングよりも早かった場合の通知画像の一例を示す図である。図６の通知画像では、閾値（規定値）に対する作業時間と総光量ＭＴの相対値を示す情報が表示される。具体的には、図６の通知画像では、総光量ＭＴが第３閾値に達したことが目盛表示される（ブルーライト負荷）、現在の作業時間が目盛表示される（ＶＤＴ作業負荷）。さらに、図６の通知画像では、ユーザに対して休息を促すメッセージが表示される。図６の通知画像を表示することにより、ユーザは、ユーザ作業や青色光の目視が現在までに健康に与えた影響の度合いを把握することができる。
【００５１】
以上述べたように、本実施例によれば、現在までに画面から発せられた所定の色の光の総光量が閾値に達した場合に、所定の通知が行われる。それにより、所定の色の光に起因した健康障害を効果的に防止することができる。また、本実施例によれば、現在までにユーザ作業が行われた時間が閾値に達した場合にも、所定の通知が行われる。それにより、ユーザ作業に起因した健康障害をも効果的に防止することができる。
【００５２】
なお、本実施例では、所定の色が青色である場合の例を説明したが、所定の色は特に限定されない。例えば、所定の色として、黄色、紫色、白色、等が使用されてもよい。
【００５３】
なお、作業時間に応じた通知は行われなくてもよい。作業時間に応じた通知が行われなくても、所定の色の光に起因した健康障害を効果的に防止することができる。
【００５４】
なお、青色光量Ｍの算出方法は特に限定されない。例えば、入力画像データのＲ値の平均値が平均値Ｒｎとして使用され、入力画像データのＧ値の平均値が平均値Ｇｎとして使用され、入力画像データのＢ値の平均値が平均値Ｂｎとして使用されてもよい。この方法は、入力画像データに応じた画像が表示対象画像である場合において好適に使用できる。例えば、この方法は、画像表示装置が画像処理部１２を有していない場合、画像処理部１
２による画像処理が省略される場合、等において好適に使用できる。また、式１の「Ｌ／Ｌｂ」が省略されてもよい。この変更を加えた方法は、現在の輝度ゲイン値が基準輝度ゲイン値である場合、輝度ゲイン値として固定値（基準輝度ゲイン値）が使用される場合、等において好適に使用できる。
【００５５】
＜実施例２＞
以下、本発明の実施例２に係る画像表示装置及びその制御方法について説明する。実施例１では、基準輝度ゲイン値Ｌｂを用いた場合の分光特性を表す基準分光データを用いて、青色光量Ｍを算出する例について説明した。本実施例では、輝度ゲイン値Ｌを用いた場合の現在の分光データ（基準分光データ）を用いることで、より正確に青色光量Ｍを算出する例について説明する。なお、以下では、実施例１と同様の構成や処理については説明を省略する。
【００５６】
図７は、本実施例に係る画像表示装置１の構成の一例を示すブロック図である。
【００５７】
画像処理部１２は、実施例１と同様の方法で処理画像データを生成し、生成した処理画像データを画像合成部１３に出力する。そして、画像処理部１２は、実施例１と同様の方法で平均値Ｒｎ，Ｇｎ，Ｂｎを算出し、算出した平均値Ｒｎ，Ｇｎ，Ｂｎとを、青色光量算出部１８に出力する。本実施例では、画像処理部１２は、輝度ゲイン値Ｌを測光制御部２１に出力する。
【００５８】
画像合成部１３は、実施例１と同様の処理を行う。さらに、本実施例では、画像合成部１３は、測光制御部２１からのパッチ表示要求に応じて、測光用画像データを生成して、処理画像データに測光用画像データを合成した合成画像データを生成する。そして、画像合成部１３は、生成した合成画像データを表示部１４に出力する。処理画像データに測光用画像データを合成した合成画像データは、処理画像に測光用画像が重ねられた画像である。測光用画像は、測光用画像データが表す画像である。測光用画像の詳細は後述する。本実施例では、画像合成部１３は、通知画像生成部１６から通知画像データが出力されなかった場合、及び、測光制御部２１からパッチ表示要求が出力されなかった場合に、処理画像データを表示部１４に出力する。
【００５９】
記憶部１７は、青色光障害関数Ｂ（λ）、表示部サイズＡ［ｍ２］を記憶する。
【００６０】
青色光量算出部１８は、実施例１と同様の処理を行う。但し、本実施例では、青色光量算出部１８は、処理画像データ（平均値Ｒｎ，Ｇｎ，Ｂｎ）、青色光障害関数Ｂ（λ）、表示部サイズＡ、及び、基準分光データＳＲ（λ），ＳＧ（λ），ＳＢ（λ），ＳＫ（λ）に基づいて、青色光量Ｍを算出する。平均値Ｒｎ，Ｇｎ，Ｂｎは画像処理部１２から取得され、青色光障害関数Ｂ（λ）と表示部サイズＡは記憶部１７から取得され、基準分光データＳＲ（λ），ＳＧ（λ），ＳＢ（λ），ＳＫ（λ）は測光制御部２１から取得される。青色光量Ｍの算出方法の詳細は後述する。
【００６１】
測光センサ２０は、測光制御部２１からの測光要求に応じて、画面から発せられた光を測定する。そして、測光センサ２０は、画面から発せられた光の測定値（分光データ）を測光制御部２１に出力する。測光センサ２０は、例えば、画面の縁部に設けられている。図８の例では、画面の右上隅部に設けられている。
【００６２】
本実施例では、測光用画像が表示されている期間に、測光用画像の表示領域から発せられた光が測光センサ２０で測定される。測光用画像は、例えば、色が均一なパッチ画像、複数の色にそれぞれ対応する複数のパッチ画像を含む画像、複数の色を含むグラフィック画像、等である。複数の色のそれぞれについて画面から発せられた光が測定されることに
より、測定値として、複数の色にそれぞれ対応する複数の分光データが取得される。測光用画像として１つのパッチ画像を使用する場合には、複数の測光用画像を順番に表示することで、複数の色にそれぞれ対応する複数の分光データが得られる。本実施例では、画素値（２５５，０，０）のパッチ画像が輝度ゲイン値Ｌを用いて表示された状態で、パッチ画像の表示領域から発せられた光が測定される。それにより、基準分光データＳＲ（λ）が得られる。画素値（０，２５５，０），（０，０，２５５），（０，０，０）についても同様の測定が行われ、基準分光データＳＧ（λ），ＳＢ（λ），ＳＫ（λ）としての測定値が得られる。
【００６３】
なお、本実施例では、基準輝度ゲイン値Ｌｂを用いた場合の分光特性を表す分光データではなく、輝度ゲイン値Ｌを用いた場合の分光特性を表す分光データ（測定値）が、基準分光データＳＲ（λ），ＳＧ（λ），ＳＢ（λ），ＳＫ（λ）として得られる。また、本実施例では、現在の分光特性を表す分光データが、基準分光データＳＲ（λ），ＳＧ（λ），ＳＢ（λ），ＳＫ（λ）として得られる。
【００６４】
なお、測光センサ２０は、画面に重ならない位置に移動可能に設けられていてもよい。例えば、測光センサ２０は、画面を囲むベゼル内に収納可能に設けられていてもよい。測光センサ２０の位置は、手動で変更されてもよいし、自動で変更されてもよい。例えば、測光（光の測定）が行われない期間に、測光センサ２０がベゼル内に自動で収納されてもよい。測光センサ２０は、画像表示装置１とは別体の装置であってもよい。
【００６５】
測光制御部２１は、画像処理部１２から出力された輝度ゲイン値Ｌの変化に応じて、画像合成部１３にパッチ表示要求を出力し、測光センサ２０に測光要求を出力する。そして、測光制御部２１は、測光センサ２０から出力された測定値（基準分光データＳＲ（λ），ＳＧ（λ），ＳＢ（λ），ＳＫ（λ））を取得し、取得した測定値を青色光量算出部１８に出力する。そのため、本実施例では、輝度ゲイン値Ｌが変化したタイミングで測光が行われる。なお、測光のタイミングは特に限定されない。例えば、測光を要求するユーザ操作に応じて測光が行われてもよい。
【００６６】
次に、本実施例に係る青色光量Ｍ［Ｗ・ｓｒ−１］の算出方法について説明する。まず、青色光量算出部１８は、以下の式３を用いて、分光データＳ（λ）［Ｗ・ｍ−２・ｓｒ−１・ｎｍ−１］を算出する。次に、青色光量算出部１８は、実施例１で述べた式２を用いて、青色光量Ｍ（Ｗ・ｓｒ−１）を算出する。
【数３】
0006661425.tif 000004
【００６７】
以上述べたように、本実施例によれば、以下の条件１，２を満たす基準分光データを用いて、青色光量Ｍが算出される。それにより、より正確に青色光量Ｍを算出することができる。ひいては、青色光（所定の色の光）に起因した健康障害をより効果的に防止することができる。
条件１：基準分光データは、当該基準分光データに対応する色の画像データがパラメータの現在の設定値を用いて画面に表示される際に画面から発せられる光の分光特性を表す。
条件２：基準分光データは、当該基準分光データに対応する色の画像データが画面に表示される際に画面から発せられる光の現在の分光特性を表す。
【００６８】
なお、上述した条件１，２のうちの一方が満たされていなくてもよい。条件１，２のう
ちの少なくとも一方が満たされていれば、より正確に青色光量Ｍを算出することができる。例えば、測光用画像の表示時に輝度ゲイン値Ｌｂが設定され、輝度ゲイン値Ｌｂを用いた場合の分光特性を表す基準分光データが取得されてもよい。そのような方法であっても、現在の分光特性を表す基準分光データを取得することができる。具体的には、表示部１４の現在の劣化状態での分光特性を表す基準分光データを取得することができる。また、輝度ゲイン値と基準分光データとの対応関係を表す情報（関数やテーブル）が予め用意されており、その情報を用いて輝度ゲイン値Ｌに対応する基準分光データが取得されてもよい。
【００６９】
＜実施例３＞
以下、本発明の実施例３に係る画像表示装置及びその制御方法について説明する。実施例１，２では、画像表示装置のユーザが１人であることを想定して作業時間と総光量ＭＴを得る例を説明した。本実施例では、画像表示装置のユーザが複数人いる場合を想定して作業時間と総光量ＭＴを得る例を説明する。本実施例では、例えば、複数のユーザが同時画像表示装置を使用する場合、複数のユーザが順番に画像表示装置を使用する場合、等を想定して作業時間と総光量ＭＴが得られる。なお、以下では、実施例１と同様の構成や処理については説明を省略する。
【００７０】
図９は、本実施例に係る画像表示装置１の構成の一例を示すブロック図である。
【００７１】
撮像部２２は、画面の正面側を撮影することにより、撮影画像データを生成する。そして、撮像部２２は、生成した撮影画像データを、ユーザ識別部２３に出力する。撮像部２２は、例えば、画面の上側に設けられている。なお、撮像部２２の位置は特に限定されない。撮像部２２は、画像表示装置１とは別体の装置であってもよい。
【００７２】
ユーザ識別部２３は、画像表示装置１の現在のユーザを識別する。本実施例では、ユーザ識別部２３は、撮像部２２から出力された撮影画像データを解析することによって、画面の正面にいる人物を、画像表示装置１の現在のユーザとして識別する。そして、ユーザ識別部２３は、識別したユーザに関する情報（ユーザ情報）を、作業時間累積部１５に出力する。本実施例では、ユーザ情報として、ユーザを表す画像データ（ユーザ画像データ）が使用される。ユーザ画像データは、事前に登録された画像データであってもよいし、撮影画像データから抽出された画像データであってもよい。また、ユーザの名前など付加情報が事前に登録されている場合には、ユーザ画像データと付加情報を含む情報が、ユーザ情報として使用される。
【００７３】
なお、ユーザ画像データや付加情報の登録方法は特に限定されない。例えば、ユーザが画像表示装置１を操作することにより、種々のデータや情報が登録されてもよい。パーソナルコンピュータ等の外部装置を用いて、種々のデータや情報が登録されてもよい。また、ユーザの識別方法は特に限定されない。例えば、ユーザによって画像表示装置１に入力されたユーザ名（ユーザＩＤ）に応じて、画像表示装置１の現在のユーザが識別されてもよい。
【００７４】
作業時間累積部１５は、実施例１と同様の処理を行う。但し、本実施例では、作業時間累積部１５は、複数のユーザのそれぞれについて作業時間を個別に算出する。そして、少なくとも１人のユーザの作業時間が第１閾値に達した場合に、作業時間累積部１５は、少なくとも、作業時間が第１閾値に達したユーザの作業時間情報とユーザ情報を、通知画像生成部１６に出力する。また、作業時間累積部１５は、作業有無情報を青色光量累積部１９に出力する際に、ユーザ識別部２３から得たユーザ情報も青色光量累積部１９に出力する。
【００７５】
青色光量累積部１９は、実施例１と同様の処理を行う。但し、本実施例では、青色光量累積部１９は、複数のユーザのそれぞれについて総光量ＭＴを個別に算出する。そして、少なくとも１人のユーザの総光量ＭＴが第３閾値に達した場合に、青色光量累積部１９は、少なくとも、総光量ＭＴが第３閾値に達したユーザの総光量情報とユーザ情報を、通知画像生成部１６に出力する。
【００７６】
通知画像生成部１６は、実施例１と同様の処理を行う。但し、本実施例では、作業時間累積部１５から作業時間情報とユーザ情報が出力された場合に、通知画像生成部１６は、作業時間が第１閾値に達したユーザの現在の総光量ＭＴを示す情報を、青色光量累積部１９から取得する。また、青色光量累積部１９から総光量情報とユーザ情報が出力された場合に、通知画像生成部１６は、総光量ＭＴが第３閾値に達したユーザの現在の作業時間を示す情報を、作業時間累積部１５から取得する。そして、通知画像生成部１６は、取得した情報に基づいて、通知画像データを生成して出力する。具体的には、通知画像生成部１６は、取得したユーザ情報、取得したユーザ情報に対応するユーザの現在の作業時間、取得したユーザ情報に対応するユーザの現在の総光量ＭＴ、及び、ユーザ作業の中断を促すメッセージを表す通知画像データを生成する。
【００７７】
図１０は、本実施例に係る通知画像の一例を示す図である。図１０は、総光量ＭＴが第３閾値に達するタイミングが、作業時間が第１閾値に達するタイミングよりも早かった場合の通知画像の一例を示す図である。図１０の通知画像では、総光量ＭＴが第３閾値に達したユーザの作業時間と総光量ＭＴが、実施例１と同様に目盛表示される。また、図１０の通知画像では、実施例１と同様に、ユーザに対して休息を促すメッセージが表示される。さらに、図１０の通知画像では、総光量ＭＴが第３閾値に達したユーザのユーザ情報が表示される。それにより、ユーザは、誰の休息が必要かを容易に把握することができる。
【００７８】
なお、通知画像で示される情報は上記情報に限らない。例えば、ユーザ識別部２３で識別された全てのユーザについての各種情報を示す通知画像が表示されてもよい。作業時間と第１閾値の差分、及び、総光量ＭＴと第３閾値の差分、の少なくとも一方が第５閾値以下のユーザについての各種情報を示す通知画像が表示されてもよい。ユーザ識別部２３で識別され且つ上記差分が第５閾値以下であるユーザについての各種情報を示す通知画像が表示されてもよい。ユーザ作業の中断を促すことができれば、通知画像はどのような画像であってもよい。通知画像でユーザ情報が省略されていてもよい。「＊＊＊＊（ユーザ名）さんは、作業を中断してください。」などのメッセージが記述された通知画像が表示されてもよい。
【００７９】
以上述べたように、本実施例によれば、画像表示装置の複数のユーザのそれぞれについて総光量が個別に算出される。そして、少なくとも１人のユーザの総光量が閾値に達した場合に、所定の通知が行われる。それにより、ユーザが見た所定の色の光の総光量が閾値より小さいにも拘らず所定の通知が行われることを抑制でき、各ユーザに対して適切なタイミングで通知を行うことができる。その結果、各ユーザの健康障害をより効果的に防止することができる。例えば、実施例１，２では、ユーザがユーザ作業を長時間行った後に、他のユーザがユーザ作業を開始すると、他のユーザの開始直後に所定の通知（不適切な通知）が行われることがある。本実施例では、そのような不適切な通知の発生を抑制することができる。また、本実施例では、所定の通知として、総光量が閾値に達したユーザを少なくとも示す所定の情報を画面に表示する処理が行われる。それにより、誰の休息が必要かをユーザが容易に把握可能となる。なお、本実施例の上記処理は、実施例２にも適用可能である。
【００８０】
＜実施例４＞
以下、本発明の実施例４に係る画像表示装置及びその制御方法について説明する。実施
例１，２，３では、青色光による負荷が規定量に達した場合に、ユーザに通知画像を提示する例を説明した。本実施例では、青色光による負荷が規定量に達した場合に、画像表示装置の青色光を低減する、あるいは青色光の低減をユーザに促す例を説明する。なお、以下では、実施例１と同様の構成や処理については説明を省略する。
【００８１】
図１１は、本実施例に係る画像表示装置１の構成の一例を示すブロック図である。
【００８２】
ユーザ操作受付部２４は、例えば、画像表示装置１の本体に設置されたボタンの押下などのユーザ操作を受け付ける。そして、ユーザ操作受付部２４は、行われたユーザ操作に応じたユーザ操作情報をモード管理部２５に出力する。なお、ユーザ操作は、ボタン押下に限られず、赤外線リモコン、タッチパネル等を用いたユーザ操作であってもよい。
【００８３】
モード管理部２５は、青色光低減モードを管理する。青色光低減モードの種類数は特に限定されないが、本実施例では、青色光低減モードとして、「自動低減」、「手動低減」、及び、「低減なし」の３種類のモードが使用される。モード管理部２５は、ユーザ操作受付部２４から出力されたユーザ操作情報（例えば、青色光低減モードを指定するユーザ操作に応じたユーザ操作情報）に応じて、上記３つのモードのいずれかを選択して設定する。
【００８４】
「自動低減」は、青色光の総光量ＭＴが閾値に達した場合に自動的に青色光（青色光量Ｍ）を低減するモードである。「自動低減」では、モード管理部２５は、青色光量累積部１９から総光量情報が入力された場合に、青色光量Ｍを低減するための青色光低減指示を、画像処理部１２へ出力する。また、モード管理部２５は、青色光量Ｍが低減されたことをユーザに通知するための低減通知画像生成指示を、通知画像生成部１６へ出力する。
【００８５】
「手動低減」は、青色光の総光量ＭＴが閾値に達した場合に青色光量Ｍを低減するか否かをユーザに選択させるモードである。「手動低減」では、モード管理部２５は、青色光量累積部１９から総光量情報が入力された場合に、青色光量Ｍを低減するか否かをユーザに選択させるための低減選択画像生成指示を、低減選択画像生成部２６へ出力する。そして、モード管理部２５は、青色光量Ｍを低減することがユーザによって選択された場合に、画像処理部１２へ青色光低減指示を出力し、通知画像生成部１６へ低減通知画像生成指示を出力する。
【００８６】
「低減なし」は、青色光の総光量ＭＴが閾値に達しても青色光量Ｍの低減を実施しないモードである。「低減なし」では、画像表示装置１は、実施例１と同様の動作を行う。
【００８７】
画像処理部１２は、モード管理部２５から青色光低減指示が入力された場合に、処理画像データを生成するために、青色を低減する画像処理（青色低減処理）さらに行う。例えば、青色低減処理として、各画素値に対して青色低減フィルタ（Ｒ値に乗算する係数，Ｇ値に乗算する係数，Ｂ値に乗算する係数）＝（１．０，１．０，０．３）を適用する画像処理が行われる。青色低減フィルタ（１．０，１．０，０．３）が使用された場合、画素値（Ｒ値，Ｇ値，Ｂ値）＝（２００，２００，２００）は画素値（２００，２００，６０）に変換される。このような画像処理により、青色光量Ｍを低減することができる。
【００８８】
なお、実施例１で述べた所定の画像処理と、青色を低減する画像処理との実行順は特に限定されない。青色低減処理は、画像処理部１２とは異なる機能部によって行われてもよい。青色低減フィルタの各係数の値は、上記値に限られない。青色光量Ｍの低減方法は、上記方法に限られない。例えば、発光部（バックライトなど）からの光を変調することで画像を表示する画像表示装置では、発光部の発光色を変更することで、青色光量Ｍを低減することができる。具体的には、発光部からの光の青色成分を低減することで、青色光量
Ｍを低減することができる。発光部が青色光源（青色の光を発する光源）を有する場合には、青色光源の発光輝度を低減することで、青色光量Ｍを低減することができる。
【００８９】
青色光低減モード「手動低減」が設定されており、且つ、総光量ＭＴが閾値（第３閾値）に達した場合に、モード管理部２５から低減選択画像生成部２６に、低減選択画像生成指示が入力される。そして、低減選択画像生成部２６は、低減選択画像生成指示の入力に応じて、青色光量Ｍを低減するか否かをユーザに選択させるための低減選択画像を表す選択画像データを生成し、選択画像データを画像合成部１３へ出力する。
【００９０】
次に、図１２を用いて、モード管理部２５の処理フローの一例を説明する。図１２は、モード管理部２５の処理フローの一例を示すフローチャートである。モード管理部２５は、青色光量累積部１９から総光量情報が入力されたタイミングで図１２のフローチャートを開始する。
【００９１】
まず、モード管理部２５は、現在設定されている青色光低減モードを判断する（Ｓ２０１）。「自動低減」が設定されている場合には、青色光量Ｍの低減を実行するためにＳ２０５へ処理が進められる。「手動低減」が設定されている場合には、青色光量Ｍの低減を実行するか否かをユーザに選択させるためにＳ２０２へ処理が進められる。「低減なし」が設定されている場合には、モード管理部２５は、青色光量Ｍの低減は不要だと判断して本フローチャートを終了する。
【００９２】
Ｓ２０２では、モード管理部２５が、低減選択画像生成部２６へ低減選択画像生成指示を出力して、Ｓ２０３へ処理を進める。Ｓ２０３では、モード管理部２５が、ユーザ操作受付部２４からユーザ操作情報を取得して、Ｓ２０４へ処理を進める。Ｓ２０４では、モード管理部２５が、ユーザ操作情報から、青色光量Ｍを低減することがユーザによって選択されたか否かを判断する。青色光量Ｍを低減することがユーザによって選択された場合にはＳ２０５へ処理が進められ、青色光量Ｍを低減しないことがユーザによって選択された場合には本フローチャートが終了される。Ｓ２０５では、モード管理部２５が、青色光量Ｍを低減するために画像処理部１２へ青色光低減指示を出力して、Ｓ２０６へ処理を進める。Ｓ２０６では、モード管理部２５が、低減通知画像生成指示を通知画像生成部１６へ出力して、本フローチャートを終了する。
【００９３】
図１３は、青色光低減モード「自動低減」が設定されており、且つ、総光量ＭＴが閾値（第３閾値）に達した場合の通知画像の一例を示す図である。図１３の通知画像では、総光量ＭＴが第３閾値に達したユーザの作業時間と総光量ＭＴが、実施例１と同様に目盛表示される。また、図１３の通知画像では、実施例１と同様に、ユーザに対して休息を促すメッセージが表示される。さらに、図１３の通知画像では、ユーザの負荷を低減するために青色光量Ｍが自動的に低減されたことを示すメッセージ（低減通知画像）が表示される。それにより、ユーザは、青色光量Ｍが低減されたことを把握することができる。低減通知画像は、低減通知画像生成指示に応じて通知画像生成部１６により生成される。
【００９４】
なお、画像表示装置の青色光量Ｍが低減されたか否かをユーザに通知する方法は上記方法に限らない。例えば、メッセージの代わりに、青色光低減通知マークが表示されてもよい。画像表示装置本体の電源ランプ等の色を変化させることにより、青色光量Ｍが低減されたか否かがユーザに通知されてもよい。音声出力装置と連動して、青色光量Ｍが低減されたことが音声出力装置からの音声によってユーザに通知されてもよい。ユーザへの情報の通知方法は特に限定されない。
【００９５】
図１４は、青色光低減モード「手動低減」が設定されており、且つ、総光量ＭＴが閾値（第３閾値）に達した場合の通知画像および低減選択画像の一例を示す図である。図１４
の通知画像では、総光量ＭＴが第３閾値に達したユーザの作業時間と総光量ＭＴが、実施例１と同様に目盛表示される。また、図１４の通知画像では、実施例１と同様に、ユーザに対して休息を促すメッセージが表示される。さらに、図１４の例では、青色光量Ｍを低減するか否かをユーザに選択させるメニュー画像（低減選択画像）が表示される。それにより、ユーザは、青色光量Ｍを低減するか否かを選択することができる。青色光量Ｍを低減することがユーザによって選択された場合には、図１３と同様の通知画像が生成され表示される。低減選択画像は、低減選択画像生成指示に応じて低減選択画像生成部２６により生成され、画像合成部１３により合成される。その結果、画面に低減選択画像が表示される。
【００９６】
以上述べたように、本実施例によれば、青色光低減モード「自動低減」によって、青色光による負荷が規定量に達した場合に、画像表示装置の青色光が自動的に低減される。それにより、ユーザの連続作業に対する負荷を低減することができる。また、青色光低減モード「手動低減」モードによって、自動的に青色光が低減されることによる意図せぬ表示色（画面の色）の変化を防止することができる。また、青色光低減モード「手動低減」モードによって、意図的に青色光を低減することができる。その結果、ユーザの健康障害を効果的に防止しつつ、ユーザの作業に対する阻害も防止することができる。また、本実施例では、所定の通知として、青色光が低減されたことを示す情報を画面に表示する処理が行われる。それにより、画像表示装置の青色光が低減されたかどうかをユーザが容易に把握可能となる。なお、本実施例の上記処理は、実施例２，３にも適用可能である。
【００９７】
なお、実施例１乃至４では、青色光の総光量ＭＴに基づいて、通知画像を画面に表示する例について説明したが、これに限らない。青色光量Ｍに基づいて通知画像の表示（所定の通知）が行われればよい。例えば、画面から発せられる青色光が一時的に多ければ、ユーザへの健康障害が発生する可能性がある。そのため、青色光量算出部１８が算出した青色光量Ｍが第２の閾値光量以上ある場合に第２の通知（所定の通知画像の表示）を行う構成であってもよい。例えば、青色光量Ｍが第２の閾値光量以上ある場合に、「青色光の光量が多い画像です。注意してください。」などの画像（ユーザに対して注意を促す画像）を画面に表示する構成であってもよい。このように、通知画像としては、青色光量Ｍが第２の閾値光量以上であることを少なくとも示す画像を使用できる。青色光量Ｍが第２の閾値光量以上ある場合に第２の通知を行い、且つ、総光量ＭＴが第１の閾値光量に達した場合に第１の通知を行う構成であってもよい。第２の閾値光量は、メーカーによって予め定められた値であってもよいし、ユーザが変更可能な値であってもよいし、画像表示装置の使用環境に応じて自動で設定される値であってもよい。第１の通知と同様に、第２の通知は、音声、光、グラフィック画像、等を用いて行われてもよい。
【００９８】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９９】
１：画像表示装置  １３：画像合成部  １４：表示部
１６：通知画像生成部  １８：青色光量算出部  １９：青色光量累積部
【図１】
0006661425.tif 000005
【図２】
0006661425.tif 000006
【図３】
0006661425.tif 000007
【図４】
0006661425.tif 000008
【図５】
0006661425.tif 000009
【図６】
0006661425.tif 000010
【図７】
0006661425.tif 000011
【図８】
0006661425.tif 000012
【図９】
0006661425.tif 000013
【図１０】
0006661425.tif 000014
【図１１】
0006661425.tif 000015
【図１２】
0006661425.tif 000016
【図１３】
0006661425.tif 000017
【図１４】
0006661425.tif 000018